(57)【要約】【課題】木造建築に於ける木材同士の接合部構造に関するものであり、具体的には、柱と柱、柱と梁、梁と梁、土台と柱等の接合部において、木材のめりこみや割裂するの防止した接合部構造と接手を提供し、木造の軸組でラーメン構造形式の軸組を容易に構築できるようにした木軸材の接手並びに同接手を用いた木軸材の接合方法を提供する。【解決手段】土台１や梁３，４の中間部や柱や梁の木口面をそれぞれ接合する際には接続ソケット７や専用ソケット８をＡソケット５同士間、Ａソケット５とＢソケット６間に介在せしめ前記Ａソケット５、Ｂソケット６の端部に設けられた縁部が接続ソケット７や専用ソケット８に設けられた鍔部１９を介して接合し、木材同士が接合面で接合しない。【選択図】図８
2006336341.tif 000002
【特許請求の範囲】
【請求項１】
木材の木口面同士の接合、並びに木材の木口面と四方面との接合において、
前記木材の木口面にソケット埋め込み用の縦孔を穿設し、また木材の四方面に横孔を穿設して木材同士の接合部を構成し、
該縦孔や横孔にＡソケット或いはＢソケットを埋め込んで接着剤にて固着して接手受け部を構成し、
該接手受け部となるＡソケット、Ｂソケットの端部は接続ソケットと専用ソケットの嵌合用の開口と該縁部にジョイント接合面を形成し、
該接合部はジョイント接合面同士や接続ソケットと専用ソケットの鍔部が介在して木材同士が剛接合されるよう構成したこと、
を特徴とする木軸材の接手。
【請求項２】
木材の木口面同士の接合、並びに木材の木口面と四方面との接合において、
前記木材の木口面にソケット埋め込み用の縦孔を穿設し、また木材の四方面に横孔を穿設して木材同士の接合部を構成し、
該縦孔や横孔にＡソケット或いはＢソケットを埋め込んで接着剤にて固着して接手受け部を構成し、
該接手受け部となるＡソケット、Ｂソケットの端部は接続ソケットと専用ソケットの嵌合用の開口と該縁部にジョイント接合面を形成し、
該接合部はジョイント接合面同士や接合ソケットと専用ソケットの鍔部が介在して木材同士が剛接合されるよう構成し、
前記木材同士の接合によるのめり込みを防止することを、
を特徴とする木軸材の接合方法。
【請求項３】
筒状の形状を有し筒の中央部に外部から直交するドリフトピンを貫通して挿着できる挿着孔をクロスして設け、また両端部は接続ソケット並びに専用ソケットの嵌合用の開口と縁部にジョイント接合面を形成したＡソケット、
該Ａソケットと同様に筒状を形成し筒の中央部に外部から直交する専用ソケットの雄ネジ部を螺着可能な雌ネジ孔を設けまた、両端部は接続ソケット並びに専用ソケットの嵌合用の開口と縁部にジョイント接合面を形成したＢソケットからなり、
前記Ａソケット並びにＢソケットは土台や梁の四方面に穿たれた横孔内に縁部のジョイント接合面を露出させた状態で埋め込まれて接着剤にて固着された接合面を構成し、
また、前記Ａソケット並びにＢソケットは柱や梁の小口面において該柱や梁の木口面から長手方向に穿たれた縦孔内に縁部のジョイント接合面を露出させた状態で埋め込まれて接着剤にて固着された接合面を構成し、
前記土台や梁の四方面や柱や梁の木口面をそれぞれ接合する際には接続ソケットや専用ソケットをＡソケット同士間、ＡソケットとＢソケット間に介在せしめ前記Ａソケット、Ｂソケットの端部に設けられた縁部が接続ソケットや専用ソケットに設けられた鍔部を介して接続し、該接続を前記ドリフトピンにて固着したこと、
を特徴とする木軸材の接手。
【請求項４】
前記Ａソケットを土台の上部四方面から横孔を穿設して埋め込み、
該Ａソケットを接着剤にて固着し、
同様に柱の木口面から該柱の長手方向に縦孔を穿設して柱にＡソケットを埋め込み接着剤にて固着し、
前記土台に固着されたＡソケットと柱の木口面に固着されたＡソケットを接続ソケットにて接合し、
該接続ソケットの両端部をドリフトピンにて固定し土台と柱間が固着されること、
を特徴とする請求項１記載の土台と柱の接手。
【請求項５】
前記Ａソケットを柱の木口面から縦孔を穿設して埋め込み、
該Ａソケットを接着剤にて固着し、
同様に接続する柱は木口面から該柱の長手方向に縦孔を穿設して柱にＢソケットを埋め込み接着剤にて固着し、
前記柱に固着されたＡソケットと柱の木口面に固着されたＢソケットを接続ソケットにて接合し、
該接続ソケットの両端部をドリフトピンにて固定し柱と柱間が固着されること、
を特徴とする請求項１記載の柱と柱の接手。
【請求項６】
前記Ｂソケットを柱の木口面から該柱の長手方向に縦孔を穿設して埋め込み、
該Ｂソケットを接着剤にて固着し、
同様に接続する梁の木口面から該梁の長手方向に縦孔を穿設して柱にＡソケットを埋め込み接着剤にて固着し、
前記柱の木口面に固着されたＢソケットには直交する専用ソケット一端部の雄ネジ部が螺着され、
前記柱に直交する梁の木口面に固着されたＡソケットは専用ソケットの他端が嵌合されドリフトピンにて固定して梁と柱が固着されること、
を特徴とする請求項１記載の梁と柱の接手。
【請求項７】
前記Ａソケットを梁の中間部上部四方面から横孔を穿設して埋め込み、
該Ａソケットを接着剤にて固着し、
同様に柱の木口面から該柱の長手方向に縦孔を穿設して柱にＡソケットを埋め込み接着剤にて固着し、
前記梁の中間部に固着されたＢソケットと柱の木口面に固着されたＢソケットを接続ソケットにて接合し、
該接続ソケットの両端部をドリフトピンにて固定して梁と柱間が固着されること、
を特徴とする請求項１記載の梁と柱の接手。
【請求項８】
前記Ａソケット並びにＢソケットは筒の中央部のドリフトピン挿着孔や専用ソケットの雌ネジ孔を中心に両側に接着剤導入間隙が設けてあること、
を特徴とする請求項１乃至請求項７の何れかに記載された木軸材の接手。
【請求項９】
前記Ａソケット並びにＢソケットは筒の中央部のドリフトピン挿着孔や専用ソケットの雌ネジ孔を中心に両側に接着剤導入間隙が設けてあり，
該設着剤導入間隙には螺旋状の突起が突設してあり接着剤の導入時に接着剤が均一に導入されるように構成されていること、
を特徴とする請求項１乃至請求項８の何れかに記載された木軸材の接手。
【請求項１０】
前記ＡソケットやＢソケット、並びに接続ソケットや専用ソケットの嵌合部には互いに嵌合した際に接続ソケットや専用ソケットのドリフトピン挿入孔の孔の位置決め用凹凸部が設けてあり、工場にて取付されるＡソケット、Ｂソケットに対して建築現場にて嵌着される接続ソケットや専用ソケットのドリフトピン挿入孔の位置が合致するよう構成されていること、
を特徴とする請求項１乃至請求項９の何れかに記載された木軸材の接手。
【請求項１１】
前記Ａソケット、Ｂソケット、接続ソケット、専用ソケットは鋼材の削りだし加工、鋳鉄製の鋳物、ステンレスのロストワックス、アルミダイキャスト等にて製作されることを、
特徴とする請求項１乃至請求項１０の何れかに記載された木軸材の接手。
【請求項１２】
前記Ａソケット、Ｂソケット、接続ソケット、専用ソケットは繊維強化プラスチック、即ち、アラミド繊維強化プラスチック、炭素繊維強化プラスチック、ガラス繊維強化プラスチック、ボロン繊維強化プラスチック、チタン強化プラスチック、ポリエステル繊維強化プラスチックで成型加工して製作されること、
を特徴とする請求項１乃至請求項１０の何れかに記載された木軸材の接手。
【発明の詳細な説明】
【技術分野】
【０００１】
本発明は、木造建築物に使用される軸材料の接手、並びに同接手を用いた木軸材の接合方法に関するものである。
【背景技術】
【０００２】
従来、木造建築物に使用される木軸材の接合部は、めりこみや割裂が生じやすく、貫（ぬき）や差し鴨居、足固め、或いは筋違い、耐力壁を用いた方法等により補強しながら建物の軸組みを構築していた。
【０００３】
而して、特許文献１（特公平５−４００９９号公報）や特許文献２（特公平７−８１３２７号公報）においては、柱や梁の接合部に孔をあけて異形鉄筋を挿入し、次いで接着剤を充填して、該接着剤の硬化により剛接合するジョイント方法が提案され、前記筋違いや耐力壁を必要としない木質ラーメン構造の構築が可能となってきた。
【０００４】
然しながら、前記、異形鉄筋を接合部に介在せしめた接着工法は、建築現場に於いて、柱や梁の接合部に異形鉄筋を挿入して接着剤を充填し硬化させるもので、例えば、特許文献３（特開平７−６２８７８号公報）の如く、建築現場に於いては、木製柱部材と梁部材との鉄筋剛接合部養生を確実に行うための組立保持装置等が必要とされるように、施工効率の悪さや、施工品質のバラツキが出る欠点が懸念されている。
【０００５】
また、従来の異形鉄筋を接合部に介在せしめた接着工法は、剛接合によって高い耐力を得ることができるようになったが、該従来工法は、建築現場での施工による施工品質の悪さに加え、柱や梁等の接合部が、木材同士が接触して接合部を構成しており、木材の場合、方向によって強度の異方性があり、特に繊維に直角な方向の強度が弱いために該木材同士の接合部分に木材のめり込みが生じ接合部の破壊により構造全体が破壊に至る可能性がある。
【０００６】
更にまた、前記異形鉄筋を接合部に介在せしめた接着工法は、接合個所では二度と外せない接着による接合部の構成であり、増改築やリフォーム時に接合部を破壊して解体せざる得ないから、木材の再使用が不可能で経済的でなく、省資源的でない。
【特許文献１】特公平５−４００９９号公報
【特許文献２】特公平７−８１３２７号公報
【特許文献３】特開平７−６２８７８号公報
【発明の開示】
【発明が解決しようとする課題】
【０００７】
而して、本発明は、木造建築に於ける木材同士の接合部構造に関するものであり、具体的には、柱と柱、柱と梁、梁と梁、土台と柱等の接合部において、木材のめりこみや割裂するの防止した接合部構造と接手を提供し、木造の軸組でラーメン構造形式の軸組を容易に構築できるようにした木軸材の接手並びに同接手を用いた木軸材の接合方法を提供する。
【０００８】
また、本発明は、木軸材の接合部にそれぞれ工場にて専用のソケットを埋め込み加工し、該専用ソケットを接着剤にて接着して養生する。そして、十分に養生された木軸材は建築現場に搬入され、ジョイントソケットを介して、前記埋め込み加工されたソケットをドリフトピンにて接合するもである。
従って本発明では、現場での施工効率が向上し、接着剤の充填、柱や梁の保持固定、や養生等、建築現場で一番厄介な作業をなくし、施工品質のバラツキをなくすことができる木軸材の接手並びに同接手を用いた木軸材の接合方法を提供する。
【０００９】
更にまた、従来の異形鉄筋を接合部に介在せしめた接着工法は、接合個所を破壊しなければ二度と外せない接合部構成であったが、本発明は、ソケット方式で簡単に取り外しできる。
従って、増改築やリフォーム時に接合部を破壊することなく解体でき、該解体された木軸材は再使用可能で、省資源化に役立つほか、仮設住宅、プレハブ住宅の建設にも役立つ木軸材の接手並びに同接手を用いた木軸材の接合方法を提供する。
【課題を解決するための手段】
【００１０】
本発明は、木材の木口面同士の接合、並びに木材の木口面と四方面との接合において、前記木材の木口面にソケット埋め込み用の縦孔を穿設し、また木材の四方面に横孔を穿設して木材同士の接合部を構成し、該縦孔や横孔にＡソケット或いはＢソケットを埋め込んで接着剤にて固着して接手受け部を構成し、該接手受け部となるＡソケット、Ｂソケットの端部は接続ソケットと専用ソケットの嵌合用の開口と該縁部にジョイント接合面を形成し、該接合部はジョイント接合面同士や接続ソケットと専用ソケットの鍔部が介在して木材同士が剛接合されるよう構成したことを要旨とする。
【００１１】
本発明は、木材の木口面同士の接合、並びに木材の木口面と四方面との接合において、前記木材の木口面にソケット埋め込み用の縦孔を穿設し、また木材の四方面に横孔を穿設して木材同士の接合部を構成し、該縦孔や横孔にＡソケット或いはＢソケットを埋め込んで接着剤にて固着して接手受け部を構成し、該接手受け部となるＡソケット、Ｂソケットの端部は接続ソケットと専用ソケットの嵌合用の開口と該縁部にジョイント接合面を形成し、該接合部はジョイント接合面同士や接合ソケットと専用ソケットの鍔部が介在して木材同士が剛接合されるよう構成し、前記木材同士の接合によるのめり込みを防止する木軸材の接合方法を要旨としている。
【００１２】
また、本発明は、筒状の形状を有し筒の中央部に外部から直交するドリフトピンを貫通して挿着できる挿着孔をクロスして設け、また両端部は接続ソケット並びに専用ソケットの嵌合用の開口と縁部にジョイント接合面を形成したＡソケット、該Ａソケットと同様に筒状を形成し筒の中央部に外部から直交する専用ソケットの雄ネジ部を螺着可能な雌ネジ孔を設けまた、両端部は接続ソケット並びに専用ソケットの嵌合用の開口と縁部にジョイント接合面を形成したＢソケットからなり、前記Ａソケット並びにＢソケットは土台や梁の四方面に穿たれた横孔内に縁部のジョイント接合面を露出させた状態で埋め込まれて接着剤にて固着された接合面を構成し、また、前記Ａソケット並びにＢソケットは柱や梁の小口面において該柱や梁の木口面から長手方向に穿たれた縦孔内に縁部のジョイント接合面を露出させた状態で埋め込まれて接着剤にて固着された接合面を構成し、
前記土台や梁の四方面や柱や梁の木口面をそれぞれ接合する際には接続ソケットや専用ソケットをＡソケット同士間、ＡソケットとＢソケット間に介在せしめ前記Ａソケット、Ｂソケットの端部に設けられた縁部が接続ソケットや専用ソケットに設けられた鍔部を介して接続し、該接続を前記ドリフトピンにて固着したことを要旨としている。
【００１３】
また、本発明は、Ａソケットを土台の上部四方面から横孔を穿設して埋め込み、該Ａソケットを接着剤にて固着し、同様に柱の木口面から該柱の長手方向に縦孔を穿設して柱にＡソケットを埋め込み接着剤にて固着し、前記土台に固着されたＡソケットと柱の木口面に固着されたＡソケットを接続ソケットにて接合し、該接続ソケットの両端部をドリフトピンにて固定し土台と柱間が固着されることを要旨としている。
【００１４】
また、本発明は、Ａソケットを柱の木口面から縦孔を穿設して埋め込み、
該Ａソケットを接着剤にて固着し、同様に接続する柱は木口面から該柱の長手方向に縦孔を穿設して柱にＢソケットを埋め込み接着剤にて固着し、前記柱に固着されたＡソケットと柱の木口面に固着されたＢソケットを接続ソケットにて接合し、該接続ソケットの両端部をドリフトピンにて固定し柱と柱間が固着されることを要旨としている。
【００１５】
また、本発明は、Ｂソケットを柱の木口面から該柱の長手方向に縦孔を穿設して埋め込み、該Ｂソケットを接着剤にて固着し、
同様に接続する梁の木口面から該梁の長手方向に縦孔を穿設して柱にＡソケットを埋め込み接着剤にて固着し、前記柱の木口面に固着されたＢソケットには直交する専用ソケット一端部の雄ネジ部が螺着され、前記柱に直交する梁の木口面に固着されたＡソケットは専用ソケットの他端が嵌合されドリフトピンにて固定して梁と柱が固着されることを要旨としている。
【００１６】
また、本発明は、Ａソケットを梁の中間部上部四方面から横孔を穿設して埋め込み、
該Ａソケットを接着剤にて固着し、同様に柱の木口面から該柱の長手方向に縦孔を穿設して柱にＡソケットを埋め込み接着剤にて固着し、前記梁の中間部に固着されたＢソケットと柱の木口面に固着されたＢソケットを接続ソケットにて接合し、該接続ソケットの両端部をドリフトピンにて固定して梁と柱間が固着されることを要旨としている。
【００１７】
また、本発明は、Ａソケット並びにＢソケットは筒の中央部のドリフトピン挿着孔や専用ソケットの雌ネジ孔を中心に両側に接着剤導入間隙が設けてあることを要旨としている。
【００１８】
また、本発明は、Ａソケット並びにＢソケットは筒の中央部のドリフトピン挿着孔や専用ソケットの雌ネジ孔を中心に両側に接着剤導入間隙が設けてあり，該設着剤導入間隙には螺旋状の突起が突設してあり接着剤の導入時に接着剤が均一に導入されるように構成されていることを要旨としている。
【００１９】
また、本発明は、ＡソケットやＢソケット、並びに接続ソケットや専用ソケットの嵌合部には互いに嵌合した際に接続ソケットや専用ソケットのドリフトピン挿入孔の孔の位置決め用凹凸部が設けてあり、工場にて取付されるＡソケット、Ｂソケットに対して建築現場にて嵌着される接続ソケットや専用ソケットのドリフトピン挿入孔の位置が合致するよう構成されていることを要旨としている。
【００２０】
また、本発明は、Ａソケット、Ｂソケット、接続ソケット、専用ソケットは鋼材の削りだし加工、鋳鉄製の鋳物、ステンレスのロストワックス、アルミダイキャスト等にて製作されることを要旨としている。
【００２１】
更にまた、本発明は、Ａソケット、Ｂソケット、接続ソケット、専用ソケットは繊維強化プラスチック、即ち、アラミド繊維強化プラスチック、炭素繊維強化プラスチック、ガラス繊維強化プラスチック、ボロン繊維強化プラスチック、チタン強化プラスチック、ポリエステル繊維強化プラスチックで成型加工して製作されることを要旨としている。
【発明の効果】
【００２２】
而して、本発明は、木造建築に於ける木材同士の接合部構造、即ち、柱と柱、柱と梁、梁と梁、土台と柱等の接合部において、木材のめりこみや割裂するの防止した接手と接合方法を提供でき、該接手、並びに接合方法は、木造の軸組でラーメン構造形式の軸組を容易に構築できるようにした木軸材の接手、並びに木軸材の接合方法を提供することができた。
【００２３】
また、本発明は、木軸材の接合部にそれぞれ工場にて専用のソケットを埋め込み加工し、該専用ソケットを接着剤にて接着して養生する。そして、十分に養生された木軸材は建築現場に搬入され、ジョイントソケットを介して、前記埋め込み加工されたソケットをドリフトピンにて接合するもで、現場での施工効率が向上し、接着剤の充填、柱や梁の保持固定や養生等、建築現場で一番厄介な作業をなくし、施工品質のバラツキをなくすことができる木軸材の接手並びに同接手を用いた木軸材の接合方法を提供することができた。
【００２４】
更にまた、従来の異形鉄筋を接合部に介在せしめた接着工法は、接合個所を破壊しなければ二度と外せない接合部構成であったが、本発明は、ソケット方式で簡単に取り外しできる。従って、増改築やリフォーム時に接合部を破壊することなく解体でき、該解体された木軸材は再使用可能で、省資源化に役立つほか、仮設住宅、プレハブ住宅の建設にも役立つ木軸材の接手並びに同接手を用いた木軸材の接合方法を提供することができた。
【発明を実施するための最良の形態】
【００２５】
本発明は、木材の木口面同士の接合、並びに木材の木口面と四方面との接合において、前記木材の木口面にソケット埋め込み用の縦孔を穿設し、また木材の四方面に横孔を穿設して木材同士の接合部を構成し、該縦孔や横孔にＡソケット或いはＢソケットを埋め込んで接着剤にて固着して接手受け部を構成し、該接手受け部となるＡソケット、Ｂソケットの端部は接続ソケットと専用ソケットの嵌合用の開口と該縁部にジョイント接合面を形成し、該接合部はジョイント接合面同士や接続ソケットと専用ソケットの鍔部が介在して木材同士が剛接合されるよう構成することが好ましい。
【００２６】
本発明は、木材の木口面同士の接合、並びに木材の木口面と四方面との接合において、前記木材の木口面にソケット埋め込み用の縦孔を穿設し、また木材の四方面に横孔を穿設して木材同士の接合部を構成し、
該縦孔や横孔にＡソケット或いはＢソケットを埋め込んで接着剤にて固着して接手受け部を構成し、該接手受け部となるＡソケット、Ｂソケットの端部は接続ソケットと専用ソケットの嵌合用の開口と該縁部にジョイント接合面を形成し、
該接合部はジョイント接合面同士や接合ソケットと専用ソケットの鍔部が介在して木材同士が剛接合されるよう構成し、前記木材同士の接合によるのめり込みを防止する木軸材の接合方法であることが好ましい。。
【００２７】
また、本発明は、筒状の形状を有し筒の中央部に外部から直交するドリフトピンを貫通して挿着できる挿着孔をクロスして設け、また両端部は接続ソケット並びに専用ソケットの嵌合用の開口と縁部にジョイント接合面を形成したＡソケット、該Ａソケットと同様に筒状を形成し筒の中央部に外部から直交する専用ソケットの雄ネジ部を螺着可能な雌ネジ孔を設けまた、両端部は接続ソケット並びに専用ソケットの嵌合用の開口と縁部にジョイント接合面を形成したＢソケットからなり、前記Ａソケット並びにＢソケットは土台や梁の四方面に穿たれた横孔内に縁部のジョイント接合面を露出させた状態で埋め込まれて接着剤にて固着された接合面を構成し、また、前記Ａソケット並びにＢソケットは柱や梁の小口面において該柱や梁の木口面から長手方向に穿たれた縦孔内に縁部のジョイント接合面を露出させた状態で埋め込まれて接着剤にて固着された接合面を構成し、
前記土台や梁の四方面や柱や梁の木口面をそれぞれ接合する際には接続ソケットや専用ソケットをＡソケット同士間、ＡソケットとＢソケット間に介在せしめ前記Ａソケット、Ｂソケットの端部に設けられた縁部が接続ソケットや専用ソケットに設けられた鍔部を介して接続し、該接続を前記ドリフトピンにて固着したことが好ましい。
【００２８】
また、本発明は、Ａソケットを土台の上部四方面から横孔を穿設して埋め込み、
該Ａソケットを接着剤にて固着し、同様に柱の木口面から該柱の長手方向に縦孔を穿設して柱にＡソケットを埋め込み接着剤にて固着し、前記土台に固着されたＡソケットと柱の木口面に固着されたＡソケットを接続ソケットにて接合し、
該接続ソケットの両端部をドリフトピンにて固定し土台と柱間が固着されることが好ましい。
【００２９】
また、本発明は、Ａソケットを柱の木口面から縦孔を穿設して埋め込み、
該Ａソケットを接着剤にて固着し、同様に接続する柱は木口面から該柱の長手方向に縦孔を穿設して柱にＢソケットを埋め込み接着剤にて固着し、
前記柱に固着されたＡソケットと柱の木口面に固着されたＢソケットを接続ソケットにて接合し、該接続ソケットの両端部をドリフトピンにて固定し柱と柱間が固着されることが好ましい。
【００３０】
また、本発明は、Ｂソケットを柱の木口面から該柱の長手方向に縦孔を穿設して埋め込み、該Ｂソケットを接着剤にて固着し、同様に接続する梁の木口面から該梁の長手方向に縦孔を穿設して柱にＡソケットを埋め込み接着剤にて固着し、
前記柱の木口面に固着されたＢソケットには直交する専用ソケット一端部の雄ネジ部が螺着され、前記柱に直交する梁の木口面に固着されたＡソケットは専用ソケットの他端が嵌合されドリフトピンにて固定して梁と柱が固着されることが好ましい。
【００３１】
また、本発明は、Ａソケットを梁の中間部上部四方面から横孔を穿設して埋め込み、該Ａソケットを接着剤にて固着し、同様に柱の木口面から該柱の長手方向に縦孔を穿設して柱にＡソケットを埋め込み接着剤にて固着し、前記梁の中間部に固着されたＢソケットと柱の木口面に固着されたＢソケットを接続ソケットにて接合し、該接続ソケットの両端部をドリフトピンにて固定して梁と柱間が固着されることが好ましい。
【００３２】
また、本発明は、Ａソケット並びにＢソケットは筒の中央部のドリフトピン挿着孔や専用ソケットの雌ネジ孔を中心に両側に接着剤導入間隙が設けてあることが好ましい。
【００３３】
また、本発明は、Ａソケット並びにＢソケットは筒の中央部のドリフトピン挿着孔や専用ソケットの雌ネジ孔を中心に両側に接着剤導入間隙が設けてあり，
該設着剤導入間隙には螺旋状の突起が突設してあり接着剤の導入時に接着剤が均一に導入されるように構成されていることが好ましい。
【００３４】
また、本発明は、ＡソケットやＢソケット、並びに接続ソケットや専用ソケットの嵌合部には互いに嵌合した際に接続ソケットや専用ソケットのドリフトピン挿入孔の孔の位置決め用凹凸部が設けてあり、工場にて取付されるＡソケット、Ｂソケットに対して建築現場にて嵌着される接続ソケットや専用ソケットのドリフトピン挿入孔の位置が合致するよう構成されていることが好ましい。
【００３５】
また、本発明は、Ａソケット、Ｂソケット、接続ソケット、専用ソケットは鋼材の削りだし加工、鋳鉄製の鋳物、ステンレスのロストワックス、アルミダイキャスト等にて製作されることが好ましい。
【００３６】
更にまた、本発明は、Ａソケット、Ｂソケット、接続ソケット、専用ソケットは繊維強化プラスチック、即ち、アラミド繊維強化プラスチック、炭素繊維強化プラスチック、ガラス繊維強化プラスチック、ボロン繊維強化プラスチック、チタン強化プラスチック、ポリエステル繊維強化プラスチックで成型加工して製作されることが好ましい。
【実施例１】
【００３７】
図１乃至図９は本発明の実施例１を説明するもので、図１は、本発明の使用部位を説明する斜視説明図、図２は、本発明のＡソケットの形状を示すもので、（a）は正面図、（ｂ）は側面図、（ｃ）は断面図、図３は、Ｂソケットの形状を示すもので（a）は正面図、（ｂ）は側面図、（ｃ）は断面図、図４は、接続ソケットの形状を説明する正面図、図５は、専用ソケットの形状を示す正面図である。
【００３８】
また、図６は、実施例１における各ソケットの組み合わせ説明図、図７は、図１の木軸構造を組み立てるためのソケット組み合わせ説明図で、（a）は要部断面図、（ｂ）は（a）図におけるＡ−Ａ断面を示しており、図８前記組み合わせに基づき柱と柱を接合した状態を示す要部断面図、図９は、柱と梁を直角に接合した状態を示す要部断面図を示している。
【００３９】
図１において、１は布基礎に載置された土台、２は柱であり、該柱２は一階柱２aと二階柱２ｂに分けられている。３a、３ｂ、３ｃ、３ｄは、梁であり、該梁３a、３ｂ、３ｃ、３ｄは一階柱２a上端部で柱２ｂに接合されている。そして二階柱２ｂの上端部では、二階柱２ｂは梁４と接合されている木軸構造の一例を示しており、前記木軸構造の接合部に本発明は、有効に使用されるものである。
【００４０】
斯くして，図２乃至図９において、５はＡソケット、６はＢソケット、７は接続ソケット、８は専用ソケットを示している。図２（a）、（ｂ）、（ｃ）は，Ａソケットの形状を示しており、該Ａソケット５は、筒状本体９からなり、該筒状本体９の中央部には、外部より直交するドリフトピン挿着孔１０a、１０ｂ、１０ｃ、１０ｄをクロスして設け、また筒状本体９の両端部１１a、１１ｂには、接続ソケット７、並びに専用ソケット８の嵌合用開口１２a、１２ｂを有しており、該開口縁部は、ジョイント接合面１３a、１３ｂが形成されている。
１４a、１４ｂは接着剤導入間隙で、接着剤は、Ａソケット５が木材に穿設された縦孔や横孔に埋め込みされた際に接着剤充填口１５より充填され、充填完了後の余分な接着剤は孔口１６から回収される。
【００４１】
また、図３（a）、（ｂ）、（ｃ）は、Ｂソケットの形状を示しており、前記Ｂソケット６は、筒状本体１７からなり、該筒状本体１７の中央部に外部より直交する専用ソケット８の雄ネジ部を螺着可能な雌ネジ孔１８a、１８ｂ、１８ｃ、１８ｄをクロスして設け、また筒状本体１７の両端部１１a、１１ｂには、接続ソケット７、並びに専用ソケット８の嵌合用開口１２a、１２ｂを有しており、該開口縁部にジョイント接合面１３a、１３ｂが形成されている。
１４a、１４ｂは接着剤導入間隙で、接着剤は、Ｂソケット５が木材に穿設された縦孔や横孔に埋め込みされた際に接着剤充填口１５より充填され、充填完了後の余分な接着剤は孔口１６から回収される。
【００４２】
図４は、前記接続ソケット７の形状を示しており、該接続ソケット７は、棒状または、肉厚の比較的大きなパイプ形状体からなり、中央に前記Ａソケット５、並びに，Ｂソケット５のジョイント接合面１３a、１３ｂに当接する鍔部１９が設けられており、該中央に設けられた鍔部１９を中心に左右に嵌合部２０a、２０ｂが設けられており、該嵌合部２０a、２０ｂの先端部付近にはそれぞれドリフトピン２３が挿着されるドリフトピン孔２１a、２１ｂが互いに９０°クロスして穿設されている。
【００４３】
また、図５は、前記専用ソケット８の形状を示しており、該専用ソケット８は棒状または肉厚の比較的大きなパイプ形状体と雄ネジ部２２からなり、中央に前記Ａソケット５、並びにＢソケット５のジョイント接合面１３a、１３ｂが当接する鍔部１９が設けられており、該中央に設けられた鍔部１９を中心に，例えば左側は前記雄ネジ部２２、右側に嵌合部２０ｂが設けられている。そして、該嵌合部２０ｂの先端部付近にはそれぞれドリフトピン２３が挿着されるドリフトピン孔２１a、２１ｂが互いに９０°クロスして穿設されている。
【００４４】
斯くして、図６は前記形状説明されたＡソケット５、Ｂソケット６、接続ソケット７、専用ソケット８の組み合わせ使い方を示すもので、図６に示すＡソケット５とＢソケット６は，工場において木軸材、即ち、木材の小口面に縦孔を穿設し、また、木材の四方面より横孔を穿設してそれぞれＡソケット、Ｂソケットを選択して埋め込み、接着剤にて固着して、土台１や柱２の接合面を形成し、或いは梁３、梁４の接合面を形成して建築現場に搬入される。
【００４５】
また、建築現場に搬入された前記木軸材は、図７（a）、（ｂ）に示す如く接続ソケット７、専用ソケットを８にて、各接合部を接合され、該接合に介在した接続ソケット７、専用ソケット８はドリフトピン２３にて固着される。
【００４６】
即ち、土台１と柱２aの接合部には、土台１の四方面２４から穿設された横孔２５に固着されたＡソケット５と、柱２aの元口側の木口面２６に穿設された縦孔２７に固着されたＡソケット５とを接続ソケット７にて接合し、該接続ソケット７をドリフトピン２３にてそれぞれのＡソケット５に固着する。
【００４７】
また、柱２aと柱２ｂの接合部は、柱２aの末口側の木口面２６に穿設された縦孔２７にＡソケット５を固着し、柱２ｂの元口側の木口面２６に穿設された縦孔２７にＢソケット６を固着して、両ソケット間を接続ソケット７にて接合し、該接続ソケット７をドリフトピン２３にてＡソケット５、Ｂソケット６に固着する。
【００４８】
また、梁３aと柱２ｂとの接合部は、前記柱２ｂの元口側に固着されたBソケット６の雌ネジ孔１８aに接続する横孔２５を工場で穿設しておき、該横孔に専用ソケット８の雄ネジ部２２を螺着させ、前記Bソケット６の雌ネジ孔１８aに専用ソケット８を締着固定される。次いで梁３aは、小口面２６に縦孔２７を穿設してＡソケット５を固着し、該Ａソケット５の開口１２ｂは専用ソケット８の嵌合部２０ｂが嵌着される。従って、ドリフトピン２３の挿着は、梁３a側のみで良く、該接合部は、柱２ｂの四方面に同様の接合部を設けることにより、図７（ｂ）に示すようにの柱２ｂと梁３a、３ｂ、３ｃ、３ｄの構造が構築できる。
【００４９】
更にまた、柱２ｂの末口側の木口面２６に梁４を接合する場合には、前記土台１と柱２aの接合と同様にＡソケット５を対抗する接合面に埋め込み、該Ａソケット５間を接続ソケット７にて接合すればよい。
【００５０】
斯くして、前記、図７（a）、（ｂ）にて説明した各接合部部材の組み合わせ方法は、実際に組み合わせると図８、図９のように構成される。図８は、一例として柱２aと柱２ｂを接合した状態を拡大要部断面図にて示しており、図９は柱２の元口部に梁３を接合した状態を拡大要部断面図にて示している。
【００５１】
図８おいて、柱２a、２ｂは、接合部位の小口面２６同士が対向している状態を示し、Ａソケット５aは柱２aの末口側の小口面２６より穿設された縦孔２７にＡソケット５aを工場にて固着し、柱２ｂの元口側の木口面２６に穿設された縦孔２７には同様に工場にてＡソケット５ｂを固着してくる。そして建築現場において、両ソケット間を接続ソケット７にて接合し、該接続ソケット７をドリフトピン２３にてＡソケット５a、Ａソケット５ｂに固着している。
【００５２】
而して、図８の状態のおいては、互いに対向して、設けられたＡソケット５a、５ｂのジョイント接合面１３a、１３ｂは、接続ソケット７の鍔部１９を介して当設されており、該接合面１３a、１３ｂと介在する鍔部１９にて剛接合されいて、接合部の応力が加わっても木材の小口面にのめり込み現象を生じさせない。
【００５３】
また、図９において、柱２aの四方面の一部には梁３aが突付けされている状態を示し、柱２aには柱の小口面２６より穿設された縦孔２７にＢソケット６を工場にて固着し、前記梁３の小口面に穿設された縦孔２７には同様に工場にてＡソケット５が固着されてくる。そして、建築現場において専用ソケット８の雄ネジ部２２を前記Ｂソケットの雌ネジ孔１８aに螺合して締結し、専用ソケット８の他端は梁３に固着されたＡソケット５の嵌合用開口１２に嵌着され、ドリフトピン２３にて固着されている。
【００５４】
従って、図９の状態においても、互いに対向して、設けられたＡソケット５のジョイント接合面１３aは、専用ソケット８の鍔部１９を介して当設されており、該接合面１３aと鍔部１９にて剛接合されいて、該接合部の応力が加わっても木材の小口面にのめり込み現象を生じさせない。
【００５５】
而して、本発明は、木材の木口面２６同士の接合、並びに木材の木口面２６と四方面２４との接合において、前記木材の木口面２６にソケット埋め込み用の縦孔２７を穿設し、また木材の四方面２４に横孔２５を穿設して木材同士の接合部を構成し、該縦孔２７や横孔２５にＡソケット５或いはＢソケット６を埋め込んで接着剤にて固着して接手受け部を構成し、該接手受け部となるＡソケット５、Ｂソケット６の端部は接続ソケット７と専用ソケット８の嵌合用の開口１２a、１２ｂと該縁部にジョイント接合面１３a、１３ｂを形成し、前記接合部はジョイント接合面１３a、１３ｂ同士や接続ソケット７と専用ソケット８の鍔部１９が介在して木材同士が剛接合されるよう構成したことを特徴とする木軸材の接ぎ手、並びに接合方法を提供できた。
【００５６】
また、実施例１は、筒状の形状を有し筒の中央部に外部から直交するドリフトピン２３を貫通して挿着できる挿着孔１０a、１０ｂ、１０ｃ、１０ｄをクロスして設け、また両端部は接続ソケット７並びに専用ソケット８の嵌合用の開口１２a、１２ｂと縁部にジョイント接合面１３a、１３ｂを形成したＡソケット５、該Ａソケット５と同様に筒状を形成し筒の中央部に外部から直交する専用ソケット８の雄ネジ部２２を螺着可能な雌ネジ孔１８a、１８ｂ、１８ｃ、１８ｄを設けまた、両端部は接続ソケット７、並びに専用ソケット８の嵌合用の開口１２a、１２ｂと縁部にジョイント接合面１３a、１３ｂを形成したＢソケット６からなり、前記Ａソケット５並びにＢソケット６は土台１や梁３、４の中間部おいて穿たれた横断孔内に縁部のジョイント接合面１３a、１３ｂを露出させた状態で埋め込まれて接着剤にて固着された接合面を構成し、また、前記Ａソケット５並びにＢソケット６は柱２や梁３、４の端部においては該柱や梁の木口面から長手方向に穿たれた縦断孔内に縁部のジョイント接合面１３a、１３ｂを露出させた状態で埋め込まれて接着剤にて固着された接合面を構成し、前記土台１や梁３，４の中間部や柱や梁の木口面をそれぞれ接合する際には接続ソケット７や専用ソケット８をＡソケット５同士間、Ａソケット５とＢソケット６間に介在せしめ前記Ａソケット５、Ｂソケット６の端部に設けられた縁部が接続ソケット７や専用ソケット８に設けられた鍔部１９を介して接続し、該接続をを固定するために前記ドリフトピンにて固着したことを特徴とする木軸材の接手と該接合方法を提供した。
【実施例２】
【００５７】
図１０乃至図１５は本発明の実施例２を説明するもので、図１０は実施例２のＡソケットの形状を示すもので、（a）は正面図、（ｂ）は側面図、（ｃ）は断面図、図１１はＢソケットの形状を示すもので（a）は正面図、（ｂ）は側面図、（ｃ）は断面図、図１２は接続ソケットの形状を説明する正面図、図１３は 専用ソケットの形状を示す正面図である。
【００５８】
また、図１４は実施例２における各ソケットの組み合わせ説明図、図１５は図１の木軸構造を組み立てるためのソケット組み合わせ説明図で（a）は要部断面図、（ｂ）は（a）におけるＢ−Ｂ断面を示している。
【００５９】
斯くして図１０乃至図１５において、５はＡソケット、６はＢソケット、７は接続ソケット、８は専用ソケットを示している。図１０はＡソケットの形状を示しており、該Ａソケットは、筒状本体９からなり、該筒状本体９の中央部に外部より直交するドリフトピン挿着孔１０a、１０ｂ、１０ｃ、１０ｄをクロスして設け、また両端部１１a、１１ｂには接続ソケット７、並びに専用ソケット８の嵌合用開口１２a、１２ｂ、並びに縁部にジョイント接合面１３a、１３ｂが形成されている。また、一側開口部内部側設けられた山型嵌合部２８は嵌合される接続ソケット７や専用ソケット８のドリフトピン挿着孔の位置決めを行うもので、この機構により、ドリフトピン２３は、スムーズに装着固定できる。
【００６０】
また、１４a、１４ｂは接着剤導入間隙で、接着剤は、Ａソケット５が縦断孔や横断孔に埋め込みされた際に接着剤充填口１５より充填され、充填完了後の余分な接着剤は孔口１６から回収される。尚、２５は前記接着剤導入間隙１４a、１４ｂ部分に設けられた螺旋形状の凹凸突起であり、該凹凸突起２９により、接着剤導入間隙１４a、１４ｂに充填された接着剤は均一に充填される。
【００６１】
また、前記Ｂソケット６の形状は、筒状本体１７からなり、該筒状本体９の中央部に外部より直交する専用ソケット８の雄ネジ部を螺着可能な雌ネジ孔１８a、１８ｂ、１８ｃ、１８ｄをクロスして設け、また両端部１１a、１１ｂには接続ソケット７、並びに専用ソケット８の嵌合用開口１２a、１２ｂ、並びに縁部にジョイント接合面１３a、１３ｂが形成されている。
１４a、１４ｂは接着剤導入間隙で、設着剤は、Ｂソケット５が縦断孔や横断孔に埋め込みされた際に接着剤充填口１５より充填され、充填完了後の余分な接着剤は孔口１６から回収される。尚、Ｂソケットにも前記山型嵌合部２８と螺旋形状の凹凸突起２９が設けられていることは言うまでもない。
【００６２】
図１２は前記接続ソケット７の形状を示しており、該接続ソケット７は棒状または肉厚の比較的大きなパイプ形状体からなり、中央に前記Ａソケット５、並びにＢソケット５のジョイント接合面１３a、１３ｂに当接する鍔部１９が設けられており、該中央に設けられた鍔部１９を中心に左右に嵌合部２０a、２０ｂが設けられており、該嵌合部２０a、２０ｂの先端部付近にはそれぞれドリフトピンが装着されるドリフトピン孔２１a、２１ｂが互いに９０°クロスして穿設されている。
【００６３】
また、図１３は前記専用ソケット８の形状を示しており、該専用ソケット８は棒状または肉厚の比較的大きなパイプ形状体と雄ネジ部２２からなり、中央に前記Ａソケット５、並びにＢソケット５のジョイント接合面１３a、１３ｂに当接する鍔部１９が設けられており、該中央に設けられた鍔部１９を中心に例えば左側は前記雄ネジ部２２、右側に嵌合部２０ｂが設けられている。そして、該嵌合部２０ｂの先端部付近にはそれぞれドリフトピン２３が装着されるドリフトピン孔２１a、２１ｂが互いに９０°クロスして穿設されている。
【００６４】
斯くして、図１４は前記形状説明されたＡソケット５、Ｂソケット６、接続ソケット７、専用ソケット８の組み合わせ使い方を示す物で、図１４に示すＡソケット５とＢソケット６は工場において木軸材料、即ち、土台１や柱２、或いは梁３、梁４の接合面に埋め込まれ建築現場に搬入される。
【００６５】
また、建築現場に搬入された前記木軸材は、図１５に示す如く接続ソケット７、専用ソケットを８にて、各接合部を接合され、該接合に介在した接続ソケット７、専用ソケット８はドリフトピン２３にて固着される。
【００６６】
而して、本発明の上記実施例１、並びに２は鋼材の削りだし加工によるＡソケット、Ｂソケット、接続ソケット、専用ソケット等の製作を想定したものであるが、製造方法や素材を換えることにより、ソケット部材は角材や角パイプ等独自な形状の接合部材が提供できる。
【００６７】
また、前記ドリフトピンの形状は、木軸材の解体時には簡単に電動工具で外せる形状としたり、打ち込んだときにクリック感があり、挿着を確認できる構成等が良い効果を生じせしめる。
【００６８】
更また、本発明の実施例は木材を用いた実施例について述べてきたが、本発明は乾燥効率を向上させるために木材を中空にくり抜いた、所謂、中空木材を用いることも可能であり、また、当然のことながら、集積材を用いる事も可能である。
【産業上の利用可能性】
【００６９】
斯くして、本発明は、木造建築における木材同士の接合部構造、即ち、柱と柱、柱と梁、梁と梁、土台と柱等の接合部において、木材のめりこみや割裂するの防止した接手と接合方法を提供でき、該接手、並びに接合方法は、木造の軸組でラーメン構造形式の軸組を容易に構築できるようにした木軸材の接手、並びに木軸材の接合方法を提供することができるもので、その産業上の利用価値は多大なものがある。
【図面の簡単な説明】
【００７０】
【図１】本発明の実施部位を説明する斜視説明図である。
【図２】実施例１に使用されるＡソケット形状説明図である。
【図３】実施例１に使用されるＢソケット形状説明図である。
【図４】実施例１に使用される接続ソケット形状説明図である
【図５】実施例１に使用される専用ソケット形状説明図である
【図６】実施例１における各ソケットの組み合わせ説明図である。
【図７】実施例１における木軸構造組立説明図である。
【図８】実施例１における柱と柱の接合状態を説明する拡大要部断面図である。
【図９】実施例１における柱と梁の接合状態を説明する拡大要部断面図である。
【図１０】実施例２に使用されるＡソケット形状説明図である。
【図１１】実施例３に使用されるＢソケット形状説明図である。
【図１２】実施例４に使用される接続ソケット形状説明図である
【図１３】実施例５に使用される専用ソケット形状説明図である
【図１４】実施例６における各ソケットの組み合わせ説明図である。
【図１５】実施例７における木軸構造組立説明図である。
【符号の説明】
【００７１】
１  土台
２、２a、２ｂ  柱
３、３a、３ｂ、３ｃ、３ｄ  梁
４  梁
５  Ａソケット
６  Ｂソケット
７  接続ソケット
８  専用ソケット
９  筒状本体
１０ａ、１０ｂ、１０ｃ、１０ｄ  ドリフトピン挿着孔
１１a、１１ｂ  両端部
１２a、１２ｂ  嵌合用開口
１３a、１３ｂ  ジョイント接合面
１４a、１４ｂ  接着剤導入間隙
１５  接着剤充填口
１６  孔口
１７  筒状本体
１８a、１８ｂ、１８ｃ、１８ｄ  雌ネジ孔
１９  鍔部
２０a、２０ｂ  嵌合部
２１a、２１ｂ  ドリフトピン孔
２２  雄ネジ部
２３  ドリフトピン
２４  四方面
２５  横孔
２６  木口面
２７  縦孔
２８  山型嵌合部
２９  凹凸突起
【図１】
2006336341.tif 000003
【図２ａ】
2006336341.tif 000004
【図２ｂ】
2006336341.tif 000005
【図２ｃ】
2006336341.tif 000006
【図３ａ】
2006336341.tif 000007
【図３ｂ】
2006336341.tif 000008
【図３ｃ】
2006336341.tif 000009
【図４】
2006336341.tif 000010
【図５】
2006336341.tif 000011
【図６】
2006336341.tif 000012
【図７ａ】
2006336341.tif 000013
【図７ｂ】
2006336341.tif 000014
【図８】
2006336341.tif 000015
【図９】
2006336341.tif 000016
【図１０ａ】
2006336341.tif 000017
【図１０ｂ】
2006336341.tif 000018
【図１０ｃ】
2006336341.tif 000019
【図１１ａ】
2006336341.tif 000020
【図１１ｂ】
2006336341.tif 000021
【図１１ｃ】
2006336341.tif 000022
【図１２】
2006336341.tif 000023
【図１３】
2006336341.tif 000024
【図１４】
2006336341.tif 000025
【図１５ａ】
2006336341.tif 000026
【図１５ｂ】
2006336341.tif 000027